(57)【要約】【課題】既存のシステムに影響させることなく、３ＧのＣＳ端末をＩＭＳ網に直接収容すること、およびベアラプロトコル変換を実現することである。【解決手段】ＣＳドメインのＩｕＵＰプロトコルと、ＰＳドメインのサブシステムであるＩＭＳのプロトコルとをインターワーキングすることを特徴とする。【選択図】図１
2008205698.tif 000002
【特許請求の範囲】
【請求項１】
ＣＳドメインのＩｕＵＰプロトコルと、ＰＳドメインのサブシステムであるＩＭＳのプロトコルとをインターワーキングすることを特徴とするインターワーキング装置。
【請求項２】
ＩｕＵＰプロトコルの信号の受信を行うＩｕＣＳインタフェース部と、ＩｕＵＰプロトコルの信号をＲＦＣ３２６７プロトコルの信号に変換するプロトコル変換部と、ＲＦＣ３２６７プロトコルの信号を送信するＭｂインタフェース部とを有することを特徴とするインターワーキング装置。
【請求項３】
ＲＦＣ３２６７プロトコルの信号を受信するＭｂインタフェース部と、ＲＦＣ３２６７プロトコルの信号をＩｕＵＰプロトコルの信号に変換するプロトコル変換部と、ＩｕＵＰプロトコルの信号の送信を行うＩｕＣＳインタフェース部とを有することを特徴とするインターワーキング装置。
【請求項４】
ＩｕＵＰプロトコルの信号の送受信を行うＩｕＣＳインタフェース部と、ＩｕＵＰプロトコルの信号をＲＦＣ３２６７プロトコルの信号に変換するとともにＲＦＣ３２６７プロトコルの信号をＩｕＵＰプロトコルの信号に変換するプロトコル変換部と、ＲＦＣ３２６７プロトコルの信号を送受信するＭｂインタフェース部とを有することを特徴とするインターワーキング装置。
【請求項５】
前記プロトコル変換部が、ＩｕＵＰプロトコルのＲＦＣ３２６７プロトコルへのマッピングおよびＲＦＣ３２６７プロトコルのＩｕＵＰプロトコルへのマッピングを行うことを特徴とする請求項４に記載のインターワーキング装置。
【請求項６】
３ＧのＣＳ端末をＩＭＳ網に収容する方法であって、請求項１ないし５のうちのいずれか１項に記載のインターワーキング装置によって、前記ＣＳ端末に接続されるＲＮＣの信号とＩＭ−ＭＧＷの信号とのベアラプロトコル変換を行うことを特徴とする方法。
【発明の詳細な説明】
【技術分野】
【０００１】
本発明は、インターワーキング装置に関し、第３世代携帯電話ネットワークにおけるプロトコル変換を行うインターワーキング装置に関するものである。
【背景技術】
【０００２】
国際標準規格３ＧＰＰ  ＴＳ２３．００２、ＴＳ２５．４１５に規定されている第３世代携帯電話ネットワークは、従来の回線交換網を使用するＣＳドメインと、パケット交換網を使用するＰＳドメインとで構成されている。
【０００３】
ＩＭＳ（ＩＰ  Ｍｕｌｔｉｍｅｄｉａ  Ｓｕｂｓｙｓｔｅｍ）は、ＩＰベースのマルチメディアサービスを第３世代携帯電話や無線ＬＡＮへアクセス網に依存せずに提供するシステムであり、ＩＰベースのサービスの提供だけでなく、ＰＳＴＮ（公衆交換電話網）と接続し、サービスを提供することを可能としている。
【０００４】
なお、特許文献１、特許文献２および特許文献３には回線網およびパケット網に対応可能な端末装置について開示されている。
【０００５】
【特許文献１】特開２００６−０２０３６９号公報
【特許文献２】特開２００４−５０５５２１号公報
【特許文献３】特開２００６−５１９５５３号公報
【発明の開示】
【発明が解決しようとする課題】
【０００６】
しかし、特許文献１、特許文献２および特許文献３では、ＩＭＳへの対応については何ら考慮されていなかった。
【０００７】
ＩＭＳは、ＰＳドメイン上に構築されるサブシステムであるため、ＣＳドメインとは独立している。そのため、３ＧのＣＳ端末をＩＭＳ網に収容し、既存のシステムに影響させることなく、ＩＭＳサービスを提供するためには、ＣＳドメインで使用しているベアラプロトコルをＩＭＳで使用しているベアラプロトコルに変換する必要がある。
【０００８】
本発明は上記の点にかんがみてなされたもので、既存のシステムに影響させることなく、３ＧのＣＳ端末をＩＭＳ網に直接収容すること、およびベアラプロトコル変換を実現することができるインターワーキング装置を提供することを目的とする。
【課題を解決するための手段】
【０００９】
上述の目的を達成するために、本発明による装置は、ＣＳドメインのＩｕＵＰプロトコルと、ＰＳドメインのサブシステムであるＩＭＳのプロトコルとをインターワーキングすることを特徴とする。
【００１０】
また、本発明は、ＩｕＵＰプロトコルの信号の受信を行うＩｕＣＳインタフェース部と、ＩｕＵＰプロトコルの信号をＲＦＣ３２６７プロトコルの信号に変換するプロトコル変換部と、ＲＦＣ３２６７プロトコルの信号を送信するＭｂインタフェース部とを有することを特徴とする。
【発明の効果】
【００１１】
本発明によれば、既存のシステムに影響させることなく、３ＧのＣＳ端末をＩＭＳ網に直接収容すること、およびベアラプロトコル変換を実現することができるインターワーキング装置を提供することができる。
【００１２】
すなわち、本発明のインターワーキング装置によれば、既存のシステムに影響させることなく、ＣＳドメインをＩＰ化し、ＣＳ端末をＩＭＳ網に直接収容することが可能となるため、ＩＭＳの提供するサービスを利用することができる。
【発明を実施するための最良の形態】
【００１３】
以下、本発明の実施の形態について図面を参照して詳細に説明する。
【００１４】
図１は、本発明の第一の実施の形態のインターワーキング装置を適用した、ＣＳ端末をＩＭＳ網に収容する構成を示すブロック図である。
【００１５】
図５は、ＣＳ端末をＩＭＳ網に収容する従来の構成を示すブロック図である。
【００１６】
国際標準規格である３ＧＰＰ（３ｒｄ  Ｇｅｎｅｒａｔｉｏｎ  Ｐａｒｔｎｅｒｓｈｉｐ  Ｐｒｏｊｅｃｔ）のＴＳ２３．００２に規定されている第３世代携帯電話ネットワークは、従来の回線交換網を使用するＣＳドメインと、パケット交換網を使用するＰＳドメインとで構成されている。
【００１７】
ＩＭＳ（ＩＰ  Ｍｕｌｔｉｍｅｄｉａ  Ｓｕｂｓｙｓｔｅｍ）は、ＩＰベースのマルチメディアサービスを第３世代携帯電話や無線ＬＡＮへアクセス網に依存せずに提供するシステムであり、ＩＰベースのサービスの提供だけでなく、ＰＳＴＮ（公衆交換電話網）やインターネットと接続し、サービスを提供することを可能としている。
【００１８】
しかし、ＩＭＳは、ＰＳドメイン上に構築されるサブシステムであるため、ＣＳドメインとは独立している。そのため、３ＧのＣＳ端末をＩＭＳ網に収容し、ＩＭＳサービスを提供するためには、ＣＳドメインで使用しているベアラプロトコルをＩＭＳで使用しているベアラプロトコルに変換する必要がある。
【００１９】
この場合、通常の３ＧＰＰでは、ベアラプロトコルのインターワーキング方式として、図５に示すような、ＩｕＣＳ＜−＞Ｎｂ＜−＞Ｍｂ＜−＞ＰＳＴＮとなる形態が採用される。
【００２０】
すなわち、３ＧのＣＳ端末１はＮｏｄｅ−ＢのＲＮＣ（無線ネットワークコントローラ）２に接続される。ＲＮＣ２はＣＳ−ＭＧＷ（ＣＳ−メディアゲートウェイ）３とＩｕにて通信し、ＣＳ−ＭＧＷ３はＣＳ−ＭＧＷ４とＮｂにて通信し、ＣＳ−ＭＧＷ４はＩＭＳ網５内のＩＭ−ＭＧＷ６とＭｂにて通信する。ＩＭ−ＭＧＷ６はＰＳＴＮ７に接続される。
【００２１】
これに対して、本実施の形態のインターワーキング装置を適用した場合には図１に示すような構成となる。
【００２２】
この本実施の形態のインターワーキング装置（ＩＷＦ装置とも記す）では、ＣＳ端末１を直接ＩＭＳ５に収容することを実現するために、図１のように、ＩｕＣＳを直接Ｍｂにインターワーキングする。
【００２３】
すなわち、３ＧのＣＳ端末１はＮｏｄｅ−ＢのＲＮＣ（無線ネットワークコントローラ）２に接続される。ＲＮＣ２はインターワーキング装置１０とＩｕにて通信し、インターワーキング装置１０はＩＭＳ網５内のＩＭ−ＭＧＷ６とＭｂにて通信する。ＩＭ−ＭＧＷ６はＰＳＴＮ７に接続される。
【００２４】
図２は、図１に示したインターワーキング装置１０におけるプロトコル変換の一例を説明するブロック図である。
【００２５】
すなわち、インターワーキング装置１０では、図２に示すような、ベアラプロトコル変換を実施することを特徴とする。これにより、本実施の形態のインターワーキング装置１０は、ＩＭＳ網５からみて、ＳＩＰ（Ｓｅｓｓｉｏｎ  Ｉｎｉｔｉａｔｉｏｎ  Ｐｒｏｔｏｃｏｌ）端末のように振舞う。
【００２６】
また、図２に示すように、インターワーキング装置１０では、ＩｕＣＳで使用される３ＧＰＰ  ＴＳ２５．４１５で規定されているＩｕＵＰプロトコルを、Ｍｂで使用されるＲＦＣ３２６７プロトコルにマッピングすること、逆に、ＲＦＣ３２６７プロトコルをＩｕＵＰプロトコルにマッピングすることも特徴とする。
【００２７】
具体的には、Ｉｎｉｔｉａｌｉｚａｔｉｏｎ、Ｒａｔｅ  Ｃｏｎｔｒｏｌ情報をマッピングするため、以下（Ａ）、（Ｂ）、（Ｃ）を実施することを特徴としている。
【００２８】
（Ａ）  ＲＦＣＩ  ＜−＞  ＦＴ  ｍａｐｐｉｎｇ
（Ｂ）  ＦＱＣ  ＜−＞  Ｑ  ｂｉｔ  ｍａｐｐｉｎｇ
（Ｃ）  ＣＭＲ  Ｈｅａｄｅｒ  ｍａｐｐｉｎｇ
この概略について、図３を参照しながら説明する。
【００２９】
図３は、本実施の形態のインターワーキング装置１０におけるマッピングの概略を説明する図である。
【００３０】
図３において、ＲＮＣ２からのＩｎｉｔｉａｌｉｚａｔｉｏｎ信号（１）をインターワーキング装置１０で受信する。そのＩｎｉｔｉａｌｉｚａｔｉｏｎ信号（１）に含まれるＲＦＣＩ値をＩＭ−ＭＧＷ６に通知するために、ＲＦＣ３２６７のＦＴにマッピングし要求信号（２）を送信する。
【００３１】
要求信号（２）に対する応答信号（３）をインターワーキング装置１０で受信後、Ｉｎｉｔｉａｌｉｚａｔｉｏｎ応答信号（４）をＲＮＣ２に対して送信する。
【００３２】
これにより、Ｉｎｉｔｉａｌｉｚａｔｉｏｎ手順を実行することができる。
【００３３】
図２に示すように、インターワーキング装置１０は、ＩｕＣＳインタフェース部１１でＲＮＣ２から送信されたデータ１２を受信する。
【００３４】
インターワーキング装置１０は、受信データ１２のＩｕＵＰプロトコル内のパラメータであるＲＦＣＩ値をセッション情報として保持しておく。受信データ１２をＲＴＰ化後にＭｂ方向へ送信する際に、その保持したＲＦＣＩ値を、ＲＦＣ３２６７プロトコル内のＦＴにマッピングして送信する。
【００３５】
ＦＱＣのＱ  ｂｉｔへのマッピング、Ｒａｔｅ  ＣｏｎｔｒｏｌのＣＭＲへのマッピングも同様である。
【００３６】
本実施の形態のインターワーキング装置１０は、このようにして、ＩｕＣＳで使用されるＩｕＵＰプロトコルを、Ｍｂで使用されるＲＦＣ３２６７プロトコルにマッピングすること、逆に、ＲＦＣ３２６７プロトコルをＩｕＵＰプロトコルにマッピングすることにより、３ＧＰＰ  ＣＳ端末をＩＭＳに直接収容しＩＭＳサービスを提供することができる。
【００３７】
続いて、本発明についてさらに詳しく説明する。
【００３８】
図４は、本実施の形態のインターワーキング装置１０の構成を示すブロック図である。
【００３９】
図４を参照すると、インターワーキング装置１０は、ＩｕＵＰプロトコル、ＲＦＣ３２６７プロトコルを解析する信号解析部２１と、その解析結果を管理するＩｕＵＰ／ＲＦＣ３２６７情報管理部２２、およびＩｕＣＳインタフェース部２０、Ｍｂインタフェース部２３を有して構成される。
【００４０】
図４を参照しながら、ＩｕＵＰとＲＦＣ３２６７との間のインターワーキングについて説明する。
【００４１】
インターワーキング装置１０は、ＩｕＵＰヘッダが含まれた信号をＩｕＣＳインタフェース部２０によって受信する。
【００４２】
信号解析部２１は、その受信した信号を解析し、ＲＦＣＩの値とＦＱＣの値を導出する。そのＲＦＣＩの値とＦＱＣの値をＩｕＵＰ／ＲＦＣ３２６７情報管理部２２に送信する（図４の（ａ））。
【００４３】
ＩｕＵＰ／ＲＦＣ３２６７情報管理部２２は、ＲＦＣＩの値から対応するＦＴとＣＭＲを、ＦＱＣの値から対応するＱ  ｂｉｔを導出し、信号解析部２１へ送信する（図４の（ｂ））。
【００４４】
信号解析部２１は、受信したＦＴ、Ｑ  ｂｉｔ、ＣＭＲをＲＦＣ３２６７ヘッダに設定し、Ｍｂインタフェース部２３から信号を送信する。
【００４５】
逆に、ＲＦＣ３２６７ヘッダが含まれた信号をＭｂインタフェース２３によって受信した場合の動作は以下のようになる。
【００４６】
信号解析部２１は、Ｍｂインタフェース２３によって受信した信号を解析し、ＦＴ、Ｑ  ｂｉｔ、ＣＭＲの値を導出する。そのＦＴ、Ｑ  ｂｉｔ、ＣＭＲの値をＩｕＵＰ／ＲＦＣ３２６７情報管理部２２に送信する（図４の（ａ））。
【００４７】
ＩｕＵＰ／ＲＦＣ３２６７情報管理部２２は、ＦＴ、ＣＭＲの値から対応するＲＦＣＩの値を、Ｑ  ｂｉｔから対応するＦＱＣの値を導出し、信号解析部２１へ送信する（図４の（ｂ））。
【００４８】
信号解析部２１は、受信したＲＦＣＩ、ＦＱＣの値をＩｕＵＰヘッダに設定し、ＩｕＣＳインタフェース部２０から信号を送信する。
【００４９】
以上により、インターワーキング装置１０にて以下の（Ｄ）、（Ｅ）、（Ｆ）を実施することを特徴としている。
【００５０】
（Ｄ）  ＲＦＣＩ  ＜−＞  ＦＴ  ｍａｐｐｉｎｇ
（Ｅ）  ＦＱＣ  ＜−＞  Ｑ  ｂｉｔ  ｍａｐｐｉｎｇ
（Ｆ）  ＣＭＲ  Ｈｅａｄｅｒ  ａｄｄｉｔｉｏｎ
また、ＩｕＵＰには、Ｒａｔｅ  Ｃｏｎｔｒｏｌ信号もあるため、それをＲＦＣ３２６７にマッピングしてＩＭ−ＭＧＷへ送信する必要がある。
【００５１】
図４を用いて説明すると、インターワーキング装置１０は、Ｒａｔｅ  Ｃｏｎｔｒｏｌ信号をＩｕＣＳインタフェース部２０より受信する。信号解析部２１は、その受信した信号を解析し、変更要求されたＲＦＣＩの値を導出する。そのＲＦＣＩの値をＩｕＵＰ／ＲＦＣ３２６７情報管理部２２に送信する（図４の（ａ））。
【００５２】
ＩｕＵＰ／ＲＦＣ３２６７情報管理部２２は、ＲＦＣＩの値から対応するＣＭＲを導出し、信号解析部２１へ送信する（図４の（ｂ））。
【００５３】
信号解析部２１は、受信したＣＭＲをＲＦＣ３２６７ヘッダに設定し、Ｍｂインタフェース部２３からＲａｔｅ  Ｃｏｎｔｒｏｌ信号を送信する。
【００５４】
その信号に対する応答をＭｂインタフェース部２３によって受信する。信号解析部２１は、その受信した信号を解析しＣＭＲを導出し、その値をＩｕＵＰ／ＲＦＣ３２６７情報管理部２２に送信する（図４の（ａ））。
【００５５】
ＩｕＵＰ／ＲＦＣ３２６７情報管理部２２は、そのＣＭＲの値とＩｕＣＳインタフェース部２０によって受信したＲａｔｅ  Ｃｏｎｔｒｏｌ信号で要求されたＲＦＣＩの値とを比較する。その結果、要求が許容された場合はＡＣＫ信号を、拒否された場合はＮＡＣＫ信号をＩｕＣＳインタフェース部２０より送信する。これにより、Ｒａｔｅ  Ｃｏｎｔｒｏｌ処理が完了する。
【図面の簡単な説明】
【００５６】
【図１】本発明の第一の実施の形態のインターワーキング装置を適用した、ＣＳ端末をＩＭＳ網に収容する構成を示すブロック図である。
【図２】図１に示したインターワーキング装置１０におけるプロトコル変換の一例を説明するブロック図である。
【図３】本実施の形態のインターワーキング装置１０におけるマッピングの概略を説明する図である。
【図４】本実施の形態のインターワーキング装置１０の構成を示すブロック図である。
【図５】ＣＳ端末をＩＭＳ網に収容する従来の構成を示すブロック図である。
【符号の説明】
【００５７】
１  ３Ｇ  ＣＳ端末
２  ＲＮＣ
３  ＣＳ−ＭＧＷ
４  ＣＳ−ＭＧＷ
５  ＩＭＳ網
６  ＩＭ−ＭＧＷ
７  ＰＳＴＮ
１０  インターワーキング装置
１１  ＩｕＣＳインタフェース部
１２  受信データ
２０  ＩｕＣＳインタフェース部
２１  信号解析部
２２  ＩｕＵＰ／ＲＦＣ３２６７情報管理部
２３  Ｍｂインタフェース部
【図１】
2008205698.tif 000003
【図２】
2008205698.tif 000004
【図３】
2008205698.tif 000005
【図４】
2008205698.tif 000006
【図５】
2008205698.tif 000007